(57)【要約】【課題】  シリンダ錠を解錠するにあたり、合鍵を複製する必要がなく、簡単な操作で迅速に解錠することができるようにした解錠具、解錠具セット及びシリンダ錠の解錠方法を提供する。【解決手段】  解錠具Ａ１は、鍵穴３０に差し込んだ状態で差し込み方向と交差する方向に動かすことができる一対の解錠バー６，７を備えている。解錠バー６，７は、解錠バー６，７の長さ方向においてディスクタンブラ４ａ，４ｃ，５ａ，５ｃ，５ｅのタンブラ突起４０ａ，４０ｃ，５０ａ，５０ｃ，５０ｅに対応する位置に所要数の係合部を有し、係合部にはタンブラ突起４０ａ，４０ｃ，５０ａ，５０ｃ，５０ｅが内筒３の軸心寄りにあるか、または内筒３の外周寄りにあるかの偏倚に応じて、偏倚方向の段差が設けられている。偏倚方向の段差は、偏倚方向に凹んだ係合凹部７０ａ，７０ｃで構成されている。【選択図】  図１１  
2005194703.tif 000002
【特許請求の範囲】
【請求項１】
シリンダ錠(S1)を解錠する解錠具(A1)であって、
一対の解錠バー(6)(7)を備えており、該解錠バー(6)(7)は、該解錠バー(6)(7)の長さ方向においてディスクタンブラ(4a〜5f)のタンブラ突起(40a〜50f)に対応する位置に所要数の係合部を有し、該解錠バー(6)(7)を鍵穴(30)に差し込んだ状態で差し込み方向と交差する方向に動かすことにより、係合部でタンブラ突起(40a〜50f)を移動させてシリンダ錠(S1)を解錠できるように構成されていることを特徴とする、
解錠具。
【請求項２】
シリンダ錠(S1)を解錠する解錠具(A1)であって、
鍵穴(30)に差し込んだ状態で差し込み方向と交差する方向に動かすことができる一対の解錠バー(6)(7)を備えており、
該解錠バー(6)(7)は、該解錠バー(6)(7)の長さ方向においてディスクタンブラ(4a〜5f)のタンブラ突起(40a〜50f)に対応する位置に所要数の係合部を有し、該係合部にはタンブラ突起(40a〜50f)が内筒の軸心寄りにあるか、または内筒の外周寄りにあるかの偏倚に応じて、偏倚方向の段差が設けられていることを特徴とする、
解錠具。
【請求項３】
タンブラ突起(40a〜50f)が内筒(3)の外周寄りにある場合は、該タンブラ突起(40a〜50f)に対応する解錠バー(6)(7)の係合部が内筒(3)の外周寄りにあり、
タンブラ突起(40a〜50f)が内筒(3)の軸心寄りにある場合は、該タンブラ突起(40a〜50f)に対応する解錠バー(6)(7)の係合部が内筒(3)の中心寄りにあることを特徴とする、
請求項１または２記載の解錠具。
【請求項４】
シリンダ錠(S1)を解錠するための対となる解錠バー(6)(7)を所要数備えた解錠具セットであって、
上記各解錠バー(6)(7)は、鍵穴(30)に差し込んだ状態で差し込み方向と交差する方向に動かすことができ、解錠バー(6)(7)の長さ方向においてディスクタンブラ(4a〜5f)のタンブラ突起(40a〜50f)に対応する位置に所要数の係合部(60a〜70ｅ)を有し、
解錠具セットは、異なる段差によって係合部が形成された解錠バー(6)(7)の組み合わせで構成されていることを特徴とする、
解錠具セット。
【請求項５】
シリンダ錠(S1)を解錠するための対となる解錠バー(6)(7)を所要数備えた解錠具セットであって、
上記各解錠バー(6)(7)は、鍵穴(30)に差し込んだ状態で、差し込み方向と交差する方向に動かすことができ、解錠バー(6)(7)の長さ方向においてディスクタンブラ(4a〜5f)のタンブラ突起(40a〜50f)に対応する位置に所要数の係合部(60a〜70ｅ)を有し、
各係合部(60a〜70ｅ)は、タンブラ突起(40a〜50f)が内筒の軸心寄りにあるか、または内筒の外周寄りにあるかの偏倚に応じて、偏倚方向に段差が設けられた高位係合部と低位係合部のいずれかで構成され、
解錠具セットは、対となる解錠バー(6)(7)における各係合部の高位係合部と低位係合部の組み合わせの全パターンまたは少なくともシリンダ錠(S1)の解錠に必要な選択されたパターンを網羅できる解錠バー(6)(7)で構成されていることを特徴とする、
解錠具セット。
【請求項６】
タンブラ突起(40a〜50f)が内筒(3)の外周寄りにあるときに、該タンブラ突起(40a〜50f)に対応する係合部が内筒(3)の外周寄りにある解錠バー(6)(7)を用い、
タンブラ突起(40a〜50f)が内筒(3)の軸心寄りにあるときに、該タンブラ突起(40a〜50f)に対応する係合部が内筒(3)の中心寄りにある解錠バー(6)(7)を用いることを特徴とする、
請求項４または５記載の解錠具セット。
【請求項７】
ディスクタンブラ(4a〜5f)のタンブラ突起(40a〜50f)に対応する位置に係合部が設けられた一対の解錠バー(6)(7)を用い、
各解錠バー(6)(7)を鍵穴(30)に差し込み、内筒(3)が解錠方向に回るように解錠バー(6)(7)に回転力を加えながら、解錠バー(6)(7)を差し込み方向と交差する方向に動かすことにより、解錠バー(6)(7)の係合部でタンブラ突起(40a〜50f)を移動させてシリンダ錠(S1)を解錠することを特徴とする、
シリンダ錠の解錠方法。
【請求項８】
各ディスクタンブラ(4a〜5f)のタンブラ突起(40a〜50f)が内筒の軸心寄りにあるか、または内筒の外周寄りにあるのかの偏倚に応じて、一対の解錠バー(6)(7)の長さ方向における該タンブラ突起(40a〜50f)に対応する位置の係合部に偏倚方向の段差が設けられた一対の解錠バー(6)(7)を用い、
各解錠バー(6)(7)を鍵穴(30)に差し込み、内筒(3)が解錠方向に回るように解錠バー(6)(7)に回転力を加えながら、解錠バー(6)(7)を差し込み方向と交差する方向に動かすことにより、該解錠バー(6)(7)で各ディスクタンブラ(4a〜5f)を移動させてディスクタンブラ(4a〜5f)を本質的に内筒(3)内に収めるようにすることを特徴とする、
シリンダ錠の解錠方法。
【請求項９】
タンブラ突起(40a〜50f)が内筒(3)の外周寄りにあるときに、該タンブラ突起(40a〜50f)に対応する係合部が内筒(3)の外周寄りにある解錠バー(6)(7)を用い、
タンブラ突起(40a〜50f)が内筒(3)の軸心寄りにあるときに、該タンブラ突起(40a〜50f)に対応する係合部が内筒(3)の中心寄りにある解錠バー(6)(7)を用いることを特徴とする、
請求項７または８記載のシリンダ錠の解錠方法。
【発明の詳細な説明】
【技術分野】
【０００１】
本発明は、解錠具、解錠具セット及びシリンダ錠の解錠方法に関する。
更に詳しくは、シリンダ錠を解錠するにあたり、合鍵を複製する必要がなく、簡単な操作で迅速に解錠することができるようにしたものに関する。
【背景技術】
【０００２】
自動車のトランクや車内に鍵を置き忘れたまま、トランクやドアを閉めて施錠してしまったり、あるいは鍵で施錠した後、誤って鍵を紛失してしまうことがある。
【０００３】
従来、このような場合は専門の業者に依頼し、シリンダ錠の鍵穴からピッキングを行って解錠したり、ドアと車体またはドアと窓ガラスの隙間から解錠具を差し込んで、ドアの内側からドアロックを解錠することが行われていた。
【０００４】
自動車用に使用されるシリンダ錠としては、例えば図１に示すように、外筒２と内筒３とに跨って複数枚のディスクタンブラ４ａ，４ｃ，５ａ，５ｃ，５ｅ（以下、符号４ａ〜５ｅとする）が配列されたディスクタンブラ錠を挙げることができる。
【０００５】
この形式のシリンダ錠は、図１に示すように、ディスクタンブラ４ａ〜５ｅ（板タンブラとも称される）のタンブラ突起４０ａ，４０ｃ，５０ａ，５０ｃ，５０ｅ（以下、符号４０ａ〜５０ｅとする）が内筒３の中心側へ移動することにより、「解錠状態」となる構造であり、いわゆる「内溝キー」を使って解錠する。内溝キーＫとは、鍵山１２１を備えた凹溝１２が鍵板１３の両面に形成されたキーのことである。
【０００６】
この他の形式としては、ディスクタンブラのタンブラ突起が内筒３の外周側へ移動することにより「解錠状態」となる構造のシリンダ錠（図示省略）がある。この形式の場合は、いわゆる「外山キー」を使って解錠する。外山キーとは、鍵板の鍵縁に鍵山を備えたもののことである。
【０００７】
このようなシリンダ錠では、施錠状態におけるディスクタンブラのタンブラ突起が内筒のどの位置にあるのかで、鍵の鍵山（凹凸形状）が設定される。
【０００８】
しかし、近年のディスクタンブラの高度化・複雑化により、従来のピッキングによる解錠方法では、高度のピッキング技能を有する熟練者であっても、ロックされたシリンダ錠を短時間で解錠することは難しい。特に「内溝キー」用のシリンダ錠では、その構造上、ピッキングによる解錠は極めて困難である。このことは、現在、特に高級車のドア錠として、「内溝キー」用のシリンダ錠が採用されていることからも明らかである。
【０００９】
また、ドアと車体の隙間などから解錠具を挿入する従来の解錠方法では、自動車のドアロック安全装置が働くため、ドアロックを外すことが困難となっている。しかも解錠具で車体やドアを傷つけてしまう可能性が高いため、好ましい解錠方法とは言い難い。
【００１０】
以上のような状況から、近年、シリンダ錠の内部構造に基づいて合鍵を複製し、その合鍵でロックされたシリンダ錠を解錠することが提案されている（例えば特許文献１及び特許文献２参照）。
【特許文献１】登録実用新案第３０６４１２４号公報
【特許文献２】特開２００３−２０８２８号公報
【００１１】
特許文献１には、シリンダ錠の鍵穴内のすべてのタンブラ突起の位置をファイバースコープ等を用いて正確に測定し、各ディスクタンブラに合った段差板を複数組み合わせて合鍵を製作することが提案されている。
【００１２】
特許文献２には、可塑性チップを備えたキーブランクをシリンダ錠に差し込んで回すことにより、すべてのタンブラ突起を上記可塑性チップに押し付けて窪み形を付け、この窪み形をナイフ等でカットして合鍵を製作することが提案されている。
【発明の開示】
【発明が解決しようとする課題】
【００１３】
上記した特許文献１記載の合鍵作製方法では、すべてのタンブラ突起の位置を正確に測定しなければ、合鍵を複製することはできない。しかし、近年のディスクタンブラの高度化・複雑化に伴い、ファイバースコープ等を用いて測定しても、正確にどの位置にタンブラ突起があるのかを短時間で測定することは困難となっている。
【００１４】
また、上記した特許文献２記載の合鍵作製方法では、すべてのタンブラ突起を可塑性チップに押し付けて窪み形を付け、この窪み形をナイフ等でカットして合鍵を製作する。しかし、各突起の高低差は微妙な違いであり、誤ってカットし過ぎると解錠は不可能となる。このため、キーブランクを鍵穴に何度も差し直して、慎重に可塑性チップを少しずつカットする必要があり、手間がかかる。
【００１５】
このように従来の公報に提案されているものでは、合鍵を複製するために極めて精密な作業が必要であるため、合鍵の複製に時間がかかり、短時間でシリンダ錠を解錠することは難しかった。
【００１６】
（本発明の目的）
そこで本発明の目的は、シリンダ錠を解錠するにあたり、合鍵を複製する必要がなく、簡単な操作で迅速に解錠することができるようにしたシリンダ錠の解錠具、シリンダ錠の解錠具セット及びシリンダ錠の解錠方法を提供することにある。  
【課題を解決するための手段】
【００１７】
上記目的を達成するために講じた本発明の手段は次のとおりである。
なお、後述する作用の説明の理解を助けるため、実施例を説明するために添付した図面に使用した符号を括弧を用いて記載している。
【００１８】
第１の発明にあっては、
シリンダ錠(S1)を解錠する解錠具(A1)であって、
一対の解錠バー(6)(7)を備えており、該解錠バー(6)(7)は、該解錠バー(6)(7)の長さ方向においてディスクタンブラ(4a〜5f)のタンブラ突起(40a〜50f)に対応する位置に所要数の係合部を有し、該解錠バー(6)(7)を鍵穴(30)に差し込んだ状態で差し込み方向と交差する方向に動かすことにより、係合部でタンブラ突起(40a〜50f)を移動させてシリンダ錠(S1)を解錠できるように構成されていることを特徴とする、
解錠具である。
【００１９】
第２の発明にあっては、
シリンダ錠(S1)を解錠する解錠具(A1)であって、
鍵穴(30)に差し込んだ状態で差し込み方向と交差する方向に動かすことができる一対の解錠バー(6)(7)を備えており、
該解錠バー(6)(7)は、該解錠バー(6)(7)の長さ方向においてディスクタンブラ(4a〜5f)のタンブラ突起(40a〜50f)に対応する位置に所要数の係合部を有し、該係合部にはタンブラ突起(40a〜50f)が内筒の軸心寄りにあるか、または内筒の外周寄りにあるかの偏倚に応じて、偏倚方向の段差が設けられていることを特徴とする、
解錠具である。
【００２０】
第３の発明にあっては、
タンブラ突起(40a〜50f)が内筒(3)の外周寄りにある場合は、該タンブラ突起(40a〜50f)に対応する解錠バー(6)(7)の係合部が内筒(3)の外周寄りにあり、
タンブラ突起(40a〜50f)が内筒(3)の軸心寄りにある場合は、該タンブラ突起(40a〜50f)に対応する解錠バー(6)(7)の係合部が内筒(3)の中心寄りにあることを特徴とする、
第１または第２の発明に係る解錠具である。
【００２１】
第４の発明にあっては、
シリンダ錠(S1)を解錠するための対となる解錠バー(6)(7)を所要数備えた解錠具セットであって、
上記各解錠バー(6)(7)は、鍵穴(30)に差し込んだ状態で差し込み方向と交差する方向に動かすことができ、解錠バー(6)(7)の長さ方向においてディスクタンブラ(4a〜5f)のタンブラ突起(40a〜50f)に対応する位置に所要数の係合部(60a〜70ｅ)を有し、
解錠具セットは、異なる段差によって係合部が形成された解錠バー(6)(7)の組み合わせで構成されていることを特徴とする、
解錠具セットである。
【００２２】
第５の発明にあっては、
シリンダ錠(S1)を解錠するための対となる解錠バー(6)(7)を所要数備えた解錠具セットであって、
上記各解錠バー(6)(7)は、鍵穴(30)に差し込んだ状態で、差し込み方向と交差する方向に動かすことができ、解錠バー(6)(7)の長さ方向においてディスクタンブラ(4a〜5f)のタンブラ突起(40a〜50f)に対応する位置に所要数の係合部(60a〜70ｅ)を有し、
各係合部(60a〜70ｅ)は、タンブラ突起(40a〜50f)が内筒の軸心寄りにあるか、または内筒の外周寄りにあるかの偏倚に応じて、偏倚方向に段差が設けられた高位係合部と低位係合部のいずれかで構成され、
解錠具セットは、対となる解錠バー(6)(7)における各係合部の高位係合部と低位係合部の組み合わせの全パターンまたは少なくともシリンダ錠(S1)の解錠に必要な選択されたパターンを網羅できる解錠バー(6)(7)で構成されていることを特徴とする、
解錠具セットである。
【００２３】
第６の発明にあっては、
タンブラ突起(40a〜50f)が内筒(3)の外周寄りにあるときに、該タンブラ突起(40a〜50f)に対応する係合部が内筒(3)の外周寄りにある解錠バー(6)(7)を用い、
タンブラ突起(40a〜50f)が内筒(3)の軸心寄りにあるときに、該タンブラ突起(40a〜50f)に対応する係合部が内筒(3)の中心寄りにある解錠バー(6)(7)を用いることを特徴とする、
第４または第５の発明に係る解錠具セットである。
【００２４】
第７の発明にあっては、
ディスクタンブラ(4a〜5f)のタンブラ突起(40a〜50f)に対応する位置に係合部が設けられた一対の解錠バー(6)(7)を用い、
各解錠バー(6)(7)を鍵穴(30)に差し込み、内筒(3)が解錠方向に回るように解錠バー(6)(7)に回転力を加えながら、解錠バー(6)(7)を差し込み方向と交差する方向に動かすことにより、解錠バー(6)(7)の係合部でタンブラ突起(40a〜50f)を移動させてシリンダ錠(S1)を解錠することを特徴とする、
シリンダ錠の解錠方法である。
【００２５】
第８の発明にあっては、
各ディスクタンブラ(4a〜5f)のタンブラ突起(40a〜50f)が内筒の軸心寄りにあるか、または内筒の外周寄りにあるのかの偏倚に応じて、一対の解錠バー(6)(7)の長さ方向における該タンブラ突起(40a〜50f)に対応する位置の係合部に偏倚方向の段差が設けられた一対の解錠バー(6)(7)を用い、
各解錠バー(6)(7)を鍵穴(30)に差し込み、内筒(3)が解錠方向に回るように解錠バー(6)(7)に回転力を加えながら、解錠バー(6)(7)を差し込み方向と交差する方向に動かすことにより、該解錠バー(6)(7)で各ディスクタンブラ(4a〜5f)を移動させてディスクタンブラ(4a〜5f)を本質的に内筒(3)内に収めるようにすることを特徴とする、
シリンダ錠の解錠方法である。
【００２６】
第９の発明にあっては、
タンブラ突起(40a〜50f)が内筒(3)の外周寄りにあるときに、該タンブラ突起(40a〜50f)に対応する係合部が内筒(3)の外周寄りにある解錠バー(6)(7)を用い、
タンブラ突起(40a〜50f)が内筒(3)の軸心寄りにあるときに、該タンブラ突起(40a〜50f)に対応する係合部が内筒(3)の中心寄りにある解錠バー(6)(7)を用いることを特徴とする、
第７または第８の発明に係るシリンダ錠の解錠方法である。
【００２７】
本明細書及び特許請求の範囲でいう「係合部に設けられる偏倚方向の段差」は、例えば凹部や凸部で形成することができる。
【００２８】
（作  用）
解錠具セットを用いたシリンダ錠の解錠方法を述べながら、本発明に係る解錠具の作用を説明する。
【００２９】
なお、ディスクタンブラを備えたシリンダ錠には、上記したように、例えば「内溝キー」用のシリンダ錠と、「外山キー」用のシリンダ錠がある。ここでは、「内溝キー」用のシリンダ錠を解錠する場合を例に挙げて説明する。
【００３０】
解錠具セットは、シリンダ錠(S1)を解錠するための対となる解錠バー(6)(7)を所要数備えている。解錠具セットは、対となる解錠バー(6)(7)における各係合部の高位係合部と低位係合部の組み合わせの全パターンまたは少なくともシリンダ錠(S1)の解錠に必要な選択されたパターンを網羅できる解錠バーで構成されている。そして、解錠作業時には、この解錠具セットの中から、シリンダ錠(S1)の解錠に適した対となる解錠バー(6)(7)を選び使用する。
【００３１】
具体的には、以下のようにして行う。
まず、ファイバースコープ等を使用して、シリンダ錠(S1)の鍵穴(30)から各ディスクタンブラ(4a〜5f)のタンブラ突起(40a〜50f)の大まかな位置を確認する。
即ち、各タンブラ突起(40a〜50f)が内筒(3)の軸心からどれだけ外筒寄りにあるのかを確認する。具体的には、各タンブラ突起(40a〜50f)が「（１）内筒(3)の軸心寄りにあるのか、（２）内筒(3)の外周寄りにあるのか」の二段階で各タンブラ突起(40a〜50f)の位置を大まかに判断する。
【００３２】
そして、その判断した各タンブラ突起(40a〜50f)の偏倚に応じて、各解錠バー(6)(7)の長さ方向における該タンブラ突起(40a〜50f)に対応する位置の係合部に偏倚方向の段差が必要か否かを判断する。
【００３３】
即ち、「（１）タンブラ突起(40a〜50f)が内筒(3)の軸心寄り」にある場合、そのタンブラ突起(40a〜50f)に対応する位置の係合部が高位係合部で構成された解錠バー(6)(7)が必要である。
「（２）タンブラ突起(40a〜50f)が内筒(3)の外周寄り」にある場合、そのタンブラ突起(40a〜50f)に対応する位置の係合部が低位係合部で構成された解錠バー(6)(7)が必要である。
以上のようにして、すべてのタンブラ突起(40a〜50f)を確認し、各タンブラ突起(40a〜50f)に適合する係合部の組み合わせからなる解錠バーを解錠具セットの中から選択する。
【００３４】
選択した一対の解錠バー(6)(7)を鍵穴(30)へ差し込み、解錠具をシリンダ錠に装着する。そうすると、各解錠バー(6)(7)の長さ方向における各ディスクタンブラ(4a〜5f)のタンブラ突起(40a〜50f)と対応する位置に、解錠バー(6)(7)の各係合部がそれぞれ位置する。
【００３５】
次いで、内筒(3)が回動する方向に解錠バー(6)(7)に回転力を加えながら、解錠バー(6)(7)を差し込み方向と交差する方向に動かす。そうすると、解錠バー(6)(7)の動きに応じてタンブラ突起(40a〜50f)が移動し、それによってディスクタンブラ(4a〜5f)の係合部が内筒(3)の外周面から出入りする。そして、ある適切な位置に解錠バー(6)(7)が位置すると、各ディスクタンブラ(4a〜5f)が内筒(3)内に収まって内筒(3)が回転し、「解錠状態」となる。
詳しくは、解錠回転方向で最初のディスクタンブラが内筒(3)と外筒(2)の隙間部分に引っ掛かって内筒内に収まり、更に解錠バー(6)(7)を動かしていると次のディスクタンブラが同じく内筒(3)と外筒(2)の隙間部分に引っ掛かって内筒内に収まるというように、順次ディスクタンブラが内筒内に収まっていき、最後にはすべてのディスクタンブラが内筒内に収まるものと思われる。
【００３６】
なお、完全にディスクタンブラ(4a〜5f)が内筒(3)内に収まらなくても、ほぼ収まっていれば（ディスクタンブラの係合部が多少突出していても）、内筒(3)と外筒(2)の寸法差による隙間に入り込みやすくなり、解錠することができる。
【発明の効果】
【００３７】
本発明によれば、鍵穴から各タンブラ突起が内筒の軸心寄りにあるのか、内筒の外周寄りにあるのかを確認した後、一対の解錠バーを鍵穴に差し込んで、内筒が解錠方向に回るように解錠バーに回転力を加えながら、解錠バーを上下動または／及び傾けることにより、簡単な操作で手早くシリンダ錠を解錠することができる。
即ち、本発明によれば、タンブラ突起の位置が大まかに分かりさえすればシリンダ錠を解錠することができ、従来の公報に提案されているものと相違して、すべてのタンブラ突起の位置を正確に測定して合鍵を複製する必要はない。
【発明を実施するための最良の形態】
【００３８】
本発明を図面に示した実施例に基づき更に詳細に説明する。
【実施例１】
【００３９】
（シリンダ錠について）
本実施例に係る解錠具を説明する前に、まず解錠対象であるシリンダ錠（「ディスクタンブラ錠」とも称される）の構造について説明する。
【００４０】
図１ないし図３はシリンダ錠の説明図である。
図１はシリンダ錠の縦断面説明図であり、正規な内溝キーを使用してシリンダ錠を解錠している状態を表している。なお、図１では内溝キーＫを点線で示している。
【００４１】
図２は、外筒の一部を断面して中の内筒が見えるようにしたシリンダ錠の平面視説明図である。
図３(ａ)(ｂ)は「施錠状態」となっているシリンダ錠を表しており、図３(ａ)は、図１及び図２のI−I部分に対応する断面を示す概略説明図、図３(ｂ)は、図１及び図２のII−II部分に対応する断面を示す概略説明図である。
なお、シリンダ錠の説明で、左側、右側、上方、下方の各方向の表現は、図３(ａ)(ｂ)を基準として行っている。
【００４２】
図１に示すシリンダ錠Ｓ１は、内溝キーＫで内筒３を回すことによって施錠または解錠をするもので、近年、特に高級車のドア錠として採用されている。内溝キーＫは鍵板１１を備え、鍵板１１の両面には鍵山１２１を有する凹溝１２が形成されている。 
【００４３】
シリンダ錠Ｓ１は、外筒２と、外筒２の内部に収容され、周方向へ回動自在な内筒３を備えている。
【００４４】
図２に示すように、本実施例では、内筒３に１０枚のディスクタンブラ４ａ，４ｂ，４ｃ，４ｄ，５ａ，５ｂ，５ｃ，５ｄ，５ｅ，５ｆ（以下、符号４ａ〜５ｆとする）が設けられている。シリンダ錠Ｓ１では、ディスクタンブラ４ａ〜５ｆとして左右分割形のハーフタンブラを採用している。ディスクタンブラ４ａ〜５ｆは、内溝キーＫの差し込み方向（図２で右方向）へ等間隔に五列、両側各二枚ずつ（合計１０枚）設けられている。
【００４５】
例えば図２で左から四列目のディスクタンブラ４ｃ，４ｄは、「施錠状態」では図３(ａ)に示すような位置にある。即ち、ディスクタンブラ４ｃ，４ｄは、コイルバネ３１，３１によって外筒２方向（図３(ａ)で上方）へ突出するように付勢されており、上端側の係合部４１，４１が外筒２内周面側のディスク係合溝２１，２１に突出している。図２で左から二列目のディスクタンブラ４ａ，４ｂについても同じである。
【００４６】
他方、例えば図２で左から五列目のディスクタンブラ５ｅ，５ｆは、「施錠状態」では図３(ｂ)に示すような位置にある。即ち、ディスクタンブラ５ｅ，５ｆは、コイルバネ３１，３１によって外筒２方向（図３(ｂ)で下方）へ突出するように付勢されており、下端側の係合部５２，５２が外筒２内周面側のディスク係合溝２２，２２に突出している。図２で左から一列目のディスクタンブラ５ａ，５ｂ、同じく三列目のディスクタンブラ５ｃ，５ｄについても同じである。
【００４７】
つまり、「施錠状態」では、各ディスクタンブラ４ａ〜５ｆは、内溝キーＫの差し込み方向に向かって上下逆方向にそれぞれ突出するように構成されている（後述する図１１も参照）。
【００４８】
このように、各ディスクタンブラ４ａ〜５ｆの各係合部４１〜５２が内筒３から外筒２のディスク係合溝２１，２２に突出することにより、内筒３の回転が阻止され、シリンダ錠Ｓ１は「施錠状態」となっている。
【００４９】
そして、図１に示すように、正規な内溝キーＫを内筒３の鍵穴３０に差し込むと、各ディスクタンブラ４ａ〜５ｆが適切に移動して、各ディスク係合溝２１，２２から内筒３側へ引っ込む。そして、各ディスクタンブラ４ａ〜５ｆの係合部４１，４２，５１，５２（以下、符号４１〜５２とする）が内筒３内あるいは、内筒３の外周面と外筒２の内周面の境目部分（いわゆるシャーライン）に位置する。これにより、各ディスクタンブラ４ａ〜５ｆによる制限されていた内筒３の回転が解錠され、外筒２に対して内筒３を自在に回動できるようになる（「解錠できる状態」）。この内筒３の回動をカム（図示省略）等によって外部に伝達して、ドアやトランク等の解錠の操作が行われる。
【００５０】
一方、正規でない内溝キーを鍵穴３０に差し込んだ場合、各ディスクタンブラ４ａ〜５ｆは適切に移動せず、各係合部４１〜５２は内筒３から外筒２のディスク係合溝２１，２２に突出したままであり、「施錠状態」が維持される。
【００５１】
なお、正規でない内溝キーを差し込んだ場合、例えば図３(ａ)に示すディスクタンブラ４ｃ，４ｄが下方に移動し、下部側の係合部４２，４２がディスク係合溝２２，２２へ突出し、「施錠状態」が維持される場合もある。図３(ｂ)に示すディスクタンブラ５ｅ，５ｆについても同じで、正規でない内溝キーを差し込んだ場合、ディスクタンブラ５ｅ，５ｆが上方に移動し、上部側の係合部５１，５１がディスク係合溝２１，２１へ突出し、「施錠状態」が維持される場合もある。
【００５２】
更にディスクタンブラ４ａ〜５ｆの構造について、詳しく説明する。
なお、説明の便宜上、図３(ａ)に示すディスクタンブラ４ｃ，４ｄを基に説明する。
ディスクタンブラ４ｃ，４ｄは、鍵穴３０の孔縁に相当する位置にタンブラ突起４０ｃ，４０ｄを有している。このタンブラ突起４０ｃ，４０ｄが図１に示す内溝キーＫの凹溝１２に入る。
【００５３】
そして、内溝キーＫを鍵穴３０に差し込んだ状態（図１参照）では、タンブラ突起４０ｃ（図１では４０ｄは見えない）が内溝キーＫの鍵山１２１に当たって、コイルバネ３１の付勢に抗してタンブラ突起４０ｃを内筒３の軸心方向へ押す。これにより、ディスクタンブラ４ｃの係合部４１がディスク係合溝２１から内筒３側へ引っ込み、「解錠状態」となる。
【００５４】
図１に示す符号２３は、内筒３の中心部に向かって左右両側から突出し、鍵穴３０方向へ所要の間隔をおいて並設されたガイド突起を示している。内溝キーＫを内筒３に差し入れると、このガイド突起２３が内溝キーＫの凹溝１２に入り、内溝キーＫが案内される。
【００５５】
（解錠具について）
次に、本発明に係る解錠具の第１の実施例を説明する。
図４ないし図６は、解錠具を構成する一対の解錠バーを示す説明図である。
図４は、解錠具を構成する一対の解錠バーの斜視説明図、
図５は、一対の解錠バーの側面視説明図であり、解錠バーの長手面同士が接している状態を示している。                          
図６は、図５のIII−III部分に対応する断面を示す概略拡大説明図である。
【００５６】
なお、解錠バーの説明で、上下（縦横）、左右の各方向の表現は図６を基準として行っている。図６では、左方向を矢印「Ｌ」で示し、右方向を矢印「Ｒ」で示している。また上記した図２及び図４には、図６の矢印「Ｌ」と矢印「Ｒ」に対応する向きを同じ矢印と符号で表している。    
【００５７】
解錠具Ａ１は、シリンダ錠Ｓ１の鍵穴３０に差し込んで解錠するための一対の解錠バー６，７を備えている。解錠バー６には、側面視（図５参照）で半円形状の係合部である係合凹部６０ａ，６０ｂ，６０ｃ，６０ｄ（以下、符号６０ａ〜６０ｄとする）が形成されている。解錠バー７には、側面視（図５参照）で半円形状の係合部である係合凹部７０ａ，７０ｂ，７０ｃ，７０ｄ，７０ｅ，７０ｆ（以下、符号７０ａ〜７０ｆとする）が形成されている。
【００５８】
図５において、係合凹部６０ａ，６０ｃ，７０ａ，７０ｃ，７０ｅは、紙面裏側に隠れて見えないので、同位置にある係合凹部６０ｂ，６０ｄ，７０ｂ，７０ｄ，７０ｆの符号の下または上に括弧付き符号で示している。
【００５９】
係合凹部６０ａ〜６０ｄ，７０ａ〜７０ｆ（以下、符号６０ａ〜７０ｆとする）は、タンブラ突起４０ａ〜５０ｆが入る程度大きさの溝であれば、特にその形状を限定するものではなく、例えば長方形や台形であっても良い。
【００６０】
以下、説明の都合上、図５及び図６で上側の解錠バー６を「上解錠バー６」、下側の解錠バー７を「下解錠バー７」という場合がある。
【００６１】
係合凹部６０ａ〜７０ｆは、図４及び図６に示すように、凸部状にやや突出した中心片６１，７１を境に左右両側にそれぞれ設けてある。本実施例では、上解錠バー６には、その長手方向の左右両側に二箇所ずつ（符号６０ａ，６０ｂ，６０ｃ，６０ｄの合計四箇所に）設けてある。下解錠バー７には、その長手方向の左右両側に三箇所ずつ（符号７０ａ，７０ｂ，７０ｃ，７０ｄ，７０ｅ，７０ｆの合計六箇所）設けてある。
【００６２】
図４ないし図６に示す解錠バー６，７は、解錠バーの基本構造を説明するために挙げた一例を示しており、実際の解錠作業時には、各係合凹部６０ａ〜７０ｆの有無によって形状が異なる所要数の解錠バーの中から、解錠対象であるシリンダ錠の解錠に合ったものを選択する。本実施例では、係合凹部６０ａ〜７０ｆの有無により、１６本の解錠バー６と、６４本の解錠バー７（解錠バー６，７合わせて８０本）が用意されている。
【００６３】
図７は、解錠具セットが収容された収容ケースを示す斜視説明図、
図８、図９(ａ)(ｂ)及び図１０(ａ)(ｂ)は、収容ケースの引出し部をそれぞれ示す平面視説明図であり、複数の解錠バーが並べて収容されている状態を示している。
【００６４】
図７に示す収容ケース８の各引出し部８１，８２，８３，８４，８５には、図８ないし図１０に示すように、解錠バー６，７が合計で８０本収容されている。そして、上記したように、実際の解錠作業時には、この中から解錠バー６と解錠バー７の各一本ずつを二本一組として選択して使用する。
【００６５】
図４ないし図６を参照して、解錠バー６，７の基本構造を更に詳しく説明する。
上記したように、シリンダ錠Ｓ１を解錠するためには、上解錠バー６と下解錠バー７の二本一組が必要である。各解錠バー６，７は、真鍮等の金属で形成されているが、硬質プラスチックや繊維強化プラスチック等の他の材料を使用することもできる。
【００６６】
各解錠バー６，７の長手方向の長さは、シリンダ錠Ｓ１の鍵穴３０の長さよりも長い。各解錠バー６，７の横幅（図６参照）は、正規の内溝キーの横幅と同じか大体同じである。長手面同士を接した状態（図６参照）の一対の解錠バー６，７の縦幅は、鍵穴３０の縦幅よりも小さく、これにより、鍵穴３０に差し込んだ状態の解錠バー６，７の間隔を拡げたり狭めたり、あるいは鍵穴３０の軸心方向に対して傾けたりすることができる。  
【００６７】
本実施例で一例として挙げた各解錠バー６，７（図４参照）には、上記したように、係合凹部６０ａ〜７０ｆが形成されている。各係合凹部６０ａ〜７０ｆは、解錠バー６，７を鍵穴３０を差し込んだ際に、解錠バー６，７の長さ方向において各ディスクタンブラ４ａ〜５ｆのタンブラ突起４０ａ〜５０ｆに対応する位置に設けてある。
【００６８】
即ち、上記したように、施錠状態では、図２で内筒３の基端側から二列目と四列目の一対のディスクタンブラ４ａ，４ｂ，４ｃ，４ｄは、図３(ａ)に示すように内筒３の上方に突出している。この各ディスクタンブラ４ａ〜４ｄに対応するように、図５で上側に示す上解錠バー６の係合凹部６０ａ〜６０ｄが表裏両側を合わせて計四箇所（片面二箇所ずつ）設けてある。
【００６９】
また、図２で内筒３の基端側から一列目、三列目及び五列目のディスクタンブラ５ａ，５ｂ，５ｃ，５ｄ，５ｅ，５ｆは、図３(ｂ)に示すように内筒３の下方に突出している。この各ディスクタンブラ５ａ〜５ｆに対応するように、図５で下側に示す解錠バー７の係合凹部７０ａ〜７０ｆが左右両側を合わせて計六箇所（片面三箇所ずつ）設けてある。
【００７０】
上記したように、実際の解錠作業時には、係合凹部６０ａ〜６０ｄ,７０ａ〜７０ｆの有無によって形状が異なる解錠バー６，７を所要数予め用意しておく。即ち、上解錠バー６では、係合凹部６０ａ〜６０ｄが所定の位置に設けられるか設けられないかで、合計１６種類の組み合わせがある。図８に示す引出し部８１には、この１６種類の解錠バー６が並べて収容されている。解錠バー６は、係合凹部の数と位置が分かるように、中心片６１側を上に向けて並べられている。なお、説明の便宜上、係合凹部６０ａ〜６０ｄが設けられている箇所を黒塗りして表している。これについては、図９及び図１０についても同じである。
【００７１】
他方、下解錠バー７では、係合凹部７０ａ〜７０ｆが所定の位置に設けられるか設けられないかで、合計６４種類の組み合わせがある。図９ないし図１２に示す引出し部８１，８２，８３，８４には、この６４種類の解錠バー７が並べて収容されている。
【００７２】
各解錠バー６，７の基端側には、例えば「Ｒ１１／Ｌ１１」や「Ｌ１１１／Ｒ１１１」といった記号が付されている。この記号により、設けられる各係合凹部６０ａ〜７０ｆの数と位置が分かるようになっている。
【００７３】
アルファベットの「Ｌ」は図４で中心片６１の左側（矢印「Ｌ」側）を表し、同じく「Ｒ」は中心片６１の右側（矢印「Ｒ」側）を表している。
また、数字の「１」は所定の位置に係合凹部６０ａ〜７０ｆが「有る」ことを表し、「０」は所定の位置に係合凹部６０ａ〜７０ｆが「無い」ことを表している。
【００７４】
更に、上解錠バー６で、アルファベット後ろの一番目の数字（例えばＲ○１／Ｌ○１の○）は、基端側の係合凹部６０ａ，６０ｂの有無を表し、二番目の数字は（Ｒ１△／Ｌ１△の△）は先端側の係合凹部６０ｃ，６０ｄの有無を表している。よって、「Ｒ１１／Ｌ１１」では、左右両側の計四箇所に係合凹部６０ａ〜６０ｄが有ることを表している。
【００７５】
また下解錠バー７で、係合凹部７０ａ〜７０ｆが合計六つであり、一番目の数字（例えばＬ○１１／Ｒ○１１の○）は基端側の係合凹部７０ａ，７０ｂの有無を表し、二番目の数字は（Ｌ１△１／Ｒ１△１の△）は真ん中の係合凹部７０ｃ，７０ｄの有無を表し、三番目の数字は（Ｌ１１□／Ｒ１１□の□）は先端側の係合凹部７０ｅ，７０ｆの有無を表している。
【００７６】
図５で解錠バー６，７の先端側に設けてある符号６２，７２は、切欠案内部を示している。切欠案内部６２，７２は、各解錠バー６，７の先端側の両側面にそれぞれ設けてある。この切欠案内部６２，７２により、各解錠バー６，７を鍵穴３０に差し入れる際に、各タンブラ突起６０ａ〜７０ｆを対向する解錠バー６，７間に（内筒３の軸心側へ）案内することができる。
【００７７】
ただし、車種によっては、係合凹部の組み合わせの全パターンの解錠バー６，７が必ずしも必要でない場合もある。その場合は、少なくともシリンダ錠の解錠に必要なパターンを網羅した解錠バーを用意すれば良い。
【００７８】
（作  用）
解錠具セットを用いたシリンダ錠Ｓ１の解錠方法を述べながら、解錠具Ａ１の作用を説明する。
【００７９】
図１１は、シリンダ錠の鍵穴に解錠バーを差し込んでいる状態を示す縦断面説明図であり、図２のIV−IV部分に対応している。
図１２は、鍵穴に差し込んだ解錠バーの間隔を狭めた状態を示すシリンダ錠の縦断面説明図、
図１３は、鍵穴に差し込んだ解錠バーを内筒の軸心方向に対して傾けた状態を示すシリンダ錠の縦断面説明図である。
【００８０】
なお、図示の便宜上、各ディスクタンブラ４ａ〜５ｅのタンブラ突起４０ａ〜５０ｅと、解錠バー７の係合凹部７０ａ，７０ｃを黒塗りして表している。図１２及び図１３の解錠バー６，７を二点鎖線で示している。解錠バー７の係合凹部７０ａ，７０ｃは、内溝キーＫの差し込み方向に対して左側の係合凹部を表している。これらについては、後述する図１６及び図１７についても同じである。
【００８１】
［解錠バー６，７の選択］
まず、ファイバースコープ等を使用して、図１１に示すシリンダ錠Ｓ１の鍵穴３０から各ディスクタンブラ４ａ〜５ｆのタンブラ突起４０ａ〜５０ｆの大まかな位置を確認する。
即ち、各タンブラ突起４０ａ〜５０ｆが内筒３の軸心からどれだけ外筒２寄りにあるのかを確認する。具体的には、各タンブラ突起４０ａ〜５０ｆが「（１）内筒３の軸心寄りにあるのか、（２）内筒３の外周寄りにあるのか」の二段階で各タンブラ突起４０ａ〜５０ｆの位置を大まかに判断する。
【００８２】
そして、その判断した各タンブラ突起４０ａ〜５０ｆの偏倚に応じて、各解錠バー６，７の長さ方向における各タンブラ突起４０ａ〜５０ｆに対応する位置に係合凹部６０ａ〜７０ｆが必要か否かを判断する。
【００８３】
即ち、「（１）タンブラ突起が内筒３の軸心寄り」にある場合、そのタンブラ突起に対応する位置に係合凹部を有さない解錠バー６，７を選択する。
「（２）タンブラ突起が内筒３の外周寄り」にある場合、そのタンブラ突起に対応する位置に係合凹部を有する解錠バー６，７を選択する。
【００８４】
このように、係合凹部６０ａ〜７０ｆの有無によって、ディスクタンブラ４ａ〜５ｆのタンブラ突起４０ａ〜５０ｆに対応する位置に高位係合部または低位係合部を構成する。
【００８５】
図面を参照して、具体的に説明する。
（１）上解錠バー６について
上解錠バー６に対応するディスクタンブラ（図２参照）は、内筒３基端側から二列目のディスクタンブラ４ａ，４ｂと、四列目のディスクタンブラ４ｃ，４ｄである。
【００８６】
まず、鍵の差し込み方向の左側（Ｌ側、図２で上の列）のディスクタンブラ４ａ，４ｃについて確認する。                                              
図１１に示すように、本実施例ではディスクタンブラ４ａ，４ｃのタンブラ突起４０ａ，４０ｃは、いずれも「タンブラ突起４０ａ，４０ｃが内筒３の軸心寄り」にある。この場合は、各タンブラ突起４０ａ，４０ｃに対応する位置に、係合凹部６０ａ，６０ｃを有さない上解錠バー６が必要である。上記した記号で表すと「Ｌ００」の上解錠バー６である。
【００８７】
次に、同様にして、鍵の差し込み方向の右側（Ｒ側、図２で下の列）のディスクタンブラ４ｂ，４ｄについて確認する。図示はしていないが、例えば、そのタンブラ突起４０ｂ，４０ｄが「いずれも内筒３の外周寄り」にあるとすると、各タンブラ突起４０ｂ，４０ｄに対応する位置に、係合凹部６０ｂ，６０ｄを有する上解錠バー６が必要である。上記した記号で表すと「Ｒ１１」の上解錠バー６である。
【００８８】
そして、「Ｌ００」と「Ｒ１１」を組み合わせた記号「Ｒ１１／Ｌ００」の上解錠バー６を、図８に示す収容ケース８の引出し部８１から選び取る。
【００８９】
（２）下解錠バー７について
下解錠バー７に対応するディスクタンブラ（図２参照）は、内筒３基端側から一列目のディスクタンブラ５ａ，５ｂと、三列目のディスクタンブラ５ｃ，５ｄと、五列目のディスクタンブラ５ｅ，５ｆである。
【００９０】
まず、鍵の差し込み方向左側（図２で上の列）のディスクタンブラ５ａ，５ｃ，５ｅについて確認する。
図１１に示すように、本実施例ではディスクタンブラ５ａ，５ｃのタンブラ突起５０ａ，５０ｃは、共に「内筒３の外周寄り」にある。一方、ディスクタンブラ５ｅのタンブラ突起５０ｅは「内筒３の軸心寄り」にある。この場合、タンブラ突起５０ａ，５０ｃに対応する位置に係合凹部７０ａ，７０ｃを有し、且つタンブラ突起５０ｅに対応する位置に係合凹部７０ｅを有さない下解錠バー７が必要である。上記した記号で表すと、「Ｌ１１０」の下解錠バー７が必要である。
【００９１】
次に、同様にして、鍵の差し込み方向の右側（Ｒ側、図２で下の列）のディスクタンブラ５ｂ，５ｄ，５ｆのタンブラ突起５０ｂ、５０ｄ、５０ｆの位置を確認し、下解錠バー７の「Ｒ」側の係合凹部の有無を決定する。本実施例では、例えば記号「Ｒ１１０」の下解錠バー７が必要であるとする。
【００９２】
そして、「Ｌ１１０」と「Ｒ１１０」を組み合わせた記号「Ｌ１１０／Ｒ０１１」の下解錠バー７を、図１０(ｂ)に示す収容ケース８の引出し部８５から選び取る。
【００９３】
［解錠バー６，７による解錠方法］
説明の便宜上、鍵の差し込み方向左側のディスクタンブラ４ａ，４ｃ，５ａ，５ｃ，５ｅを基に説明する。    
【００９４】
以上のようにして選び取った二本一組の解錠バー６，７を用いて解錠具Ａ１とし、鍵穴３０へ差し込む（図１１参照）。そうすると、図１２に示すように、解錠バー７の長さ方向における各タンブラ突起５０ａ，５０ｃと対応する位置に、解錠バー７の各係合凹部７０ａ，７０ｃがそれぞれ位置する。
【００９５】
その状態で解錠バー６，７の間隔を狭めたり、拡げたりすると、解錠バー６，７の動きに応じて、各タンブラ突起４０ａ〜５０ｅが上下動する。それによって、各ディスクタンブラ４０ａ〜５０ｅの係合部４１，４２，５１，５２が内筒３の外周面から出入りする。
【００９６】
本実施例では、図１２に示すように、解錠バー６，７の間隔を狭めると、ディスクタンブラ４ａ，５ｅ以外の殆どのディスクタンブラ４ｃ，５ａ，５ｃが、外筒２のディスク係合溝２１，２２から引っ込む。つまり、各係合部４１，４２，５１，５２の先端部が内筒３の外周面と外筒２の内周面の境目部分（いわゆるシャーライン）に位置するようになる。
【００９７】
次いで、内筒３が回動する方向に解錠バー６，７に回転力を加えながら、更に解錠バー６，７の間隔を狭めたり拡げたり、あるいは内筒３の軸心方向に対して解錠バー６，７を傾ける等の動作を繰り返す（図１３(ａ)も参照）。すると、ある位置でディスクタンブラ４ａ，４ｃ，５ａ、５ｃ，５ｅの引っ掛かりがなくなり、内筒３が回動して「解錠状態」となる（図１３参照）。
【００９８】
即ち、解錠バー６，７をある適切な位置に移動させると、すべてのディスクタンブラ４ａ〜５ｅの係合部４１，４２，５１，５２がディスク係合溝２１，２２から引っ込み、シャーラインを形成する。
【００９９】
図１４(ａ)は、図１２のV−V部分に対応する断面の左半分を示す概略説明図、
図１４(ｂ)は、図１２のVI−VI部分に対応する断面の左半分を示す概略説明図、
図１４(ｃ)は、図１３のVII−VII部分に対応する断面の左半分を示す概略説明図、
図１４(ｄ)は、図１３のVIII−VIII部分に対応する断面の左半分を示す概略説明図である。
なお、図示の便宜上、図１４ではディスクタンブラ４ａ，４ｃに当接する解錠バー６を図示し、他方の解錠バー７は省略している。
【０１００】
各ディスクタンブラ４ａ〜５ｅは、以下に説明するような作用によってシャーラインを形成するものと思われる。
なお、説明の便宜上、図１２で左から二列目のディスクタンブラ４ａ（V−V部分に対応する断面）と、同じく左から四列目のディスクタンブラ４ｃ（VI−VI部分に対応する断面）を例に挙げて説明する。
【０１０１】
図１２に示す解錠バー６，７の間隔を狭めた状態では、各ディスクタンブラ４ａ，４ｃは、以下のような状態となっている。
ディスクタンブラ４ａの上部側の係合部４１は、図１４(ａ)に示すように、ディスク係合溝２１から内筒３へ引っ込んでいるが、下部側の係合部４２は、内筒３からディスク係合溝２２側へ張り出している。よって、このままでは、係合部４２がディスク係合溝２２の内壁に当たるため、「解錠状態」まで内筒３を回動させることはできない。
【０１０２】
一方、ディスクタンブラ４ｃの上部側の係合部４１と係合部４２は、図１４(ｂ)に示すように、ディスク係合溝２１，２２から内筒３へ引っ込んでおり、既にシャーラインを形成している。
【０１０３】
上記したような各ディスクタンブラ４ａ，４ｃの状態により、内筒３を「解錠状態」まで回動させるためには、図１４(ｂ)に示すディスクタンブラ４ｃのシャーラインを崩すことなく、図１４(ａ)に示すディスクタンブラ４ａがシャーラインを形成するようにしなければならない。
【０１０４】
そこで、図１４(ｂ)に示す状態から、内筒３が回動する方向（時計の針と反対方向）に解錠バー６に回転力を加えながら、コイルバネ３１の付勢に抗して解錠バー６を少しずつ差し込み方向と交差する方向に上下動させたり、差し込み方向に対して傾けてその位置を変える。そうすると、ある位置において、図１４(ｄ)に示すように、ディスク係合溝２１と外筒２の内周面の境目である角部分２４に、ディスクタンブラ４ｃの係合部４１の角が滑り込んで引っ掛かった状態となる。これにより、解錠バー６を更に上方に移動させたとしても、係合部４１が角部分２４に当たり、係合部４１はディスク係合溝２１内に入り込まないようになる。
【０１０５】
よって、解錠バー６を上方に移動させれば、ディスクタンブラ４ｃのシャーラインを崩すことなく、図１４(ａ)に示すディスクタンブラ４ａを図１４(ｃ)に示すように上方に移動させてシャーラインを形成させることができるものと思われる。
【０１０６】
以上のようにして、解錠回転方向で最初のディスクタンブラが内筒３と外筒２の隙間部分に引っ掛かって内筒３内に収まり、更に解錠バー６，７を動かしていると次のディスクタンブラが同じく内筒３と外筒２の隙間部分に引っ掛かって内筒３内に収まるというように、順次ディスクタンブラが内筒３内に収まっていき、最後にはすべてのディスクタンブラが内筒３内に収まるものと思われる。
【０１０７】
ここではディスクタンブラ４ａ，４ｃだけについて述べたが、解錠バー６で移動する他のディスクタンブラ４ｂ，４ｄ（図２参照）や解錠バー７で移動するディスクタンブラ５ａ〜５ｆについても、同様の作用でシャーラインを形成できると思われる。
【０１０８】
なお、ディスクタンブラ４ａ，４ｃ，５ａ、５ｃ，５ｅが完全に内筒３内に収まらなくても、ほぼ収まっていれば（係合部４１，４２，５１，５２が内筒３内から多少外へ突出していても）、内筒３と外筒２の寸法差による隙間（遊び部分）に係合部４１，４２，５１，５２が位置し、解錠できるものと思われる。
【０１０９】
以上説明したように、各タンブラ突起４０ａが内筒３の軸心寄りにあるのか、内筒３の外周寄りにあるのかを確認すれば、シリンダ錠Ｓ１を解錠することができる。即ち、従来の公報に提案されているものと相違して、各タンブラ突起４０ａの位置が大まかに分かれば、シリンダ錠Ｓ１を解錠することができる。しかも、解錠バー６，７上下動させたり、傾けたりする等の簡単な操作で手早く、シリンダ錠Ｓ１を解錠することができる。
【０１１０】
なお、指を入れて解錠バー６，７の間隔を拡げたり狭めたりすることができる操作部を、解錠バー６，７の基端部に取り付けることもできる。
【０１１１】
また本実施例では、解錠具セットから解錠するシリンダ錠に適合した段差を有する解錠バー６、７を選択するようにしたが、予め係合凹部６０ａ〜７０ｅがすべて設けられている各解錠バー６，７をそれぞれ一本ずつ使用して解錠作業を行うこともできる。即ち、図５に示すように、係合凹部６０ａ〜７０ｅがすべて設けられている解錠バー６，７をそれぞれ用意しておく。そして、各タンブラ突起４０ａ〜５０ｆの偏倚に応じて、対応する位置の係合凹部６０ａ〜７０ｅをハンダやプラスチック等の埋込材で埋めることで、解錠バー６，７に段差を設けることができる。
【実施例２】
【０１１２】
図１５は、本発明に係る解錠具の他の実施例を示す平面視説明図、
図１６は、シリンダ錠の鍵穴に解錠バーを差し込んだ状態を示す縦断面説明図、
図１７は、鍵穴に差し込んだ解錠バーの間隔を拡げた状態を示す縦断面説明図である。
【０１１３】
なお、実施例１と同一または同等箇所には同一の符号を付して示している。また、実施例１で示してある箇所については、説明を省略し、主に相異点を説明する。
【０１１４】
図１５に示す解錠具Ａ２は、「外溝キー」用のシリンダ錠Ｓ２を解錠するものである。シリンダ錠Ｓ２の場合、図１６に示すディスクタンブラ４ｅ，４ｆ，５ｇ，５ｈ，５ｉの各タンブラ突起４０ｅ，４０ｆ，５０ｇ，５０ｈ，５０ｉが、図１７に示すように内筒３の外周側に移動することにより、ディスクタンブラ４ｅ〜５ｉの各係合部４１，４２，５１，５２が内筒３内に収容されて「解錠できる状態」となる。
【０１１５】
よって、図１５に示す解錠具Ａ２の場合、一対の解錠バー６ａ，７ａに設けられる係合凹部６０ｅ，６０ｆ，６０ｇ，６０ｈ，７０ｇ，７０ｈ，７０ｉ，７０ｊ，７０ｋ，７０ｍ（以下、符号６０ｅ〜７０ｍとする）は、解錠バー６ａ，７ａの長手面の外側に向けて設けてある。
【０１１６】
なお、図１５において、係合凹部６０ｅ，６０ｆ，７０ｇ，７０ｈ，７０ｉは、紙面裏側に隠れて見えないので、同位置にある係合凹部６０ｇ，６０ｈ，７０ｉ，７０ｋ，７０ｍの符号の下または上に括弧付き符号で示している。
【０１１７】
更に、解錠バー６ａ，７ａの先端側は、対向する解錠バー６ａ，７ａ側に尖るように傾斜をつけて形成されている。これにより、解錠バー６ａ，７ａの間隔を狭めた状態で鍵穴３０に差し込むと、各タンブラ突起４ｅ〜５ｉは解錠バー６ａ，７ａの外側（内筒３の外周側へ）に案内され押し出される。
【０１１８】
実施例１と同様、図１５に示す解錠バー６ａ，７ａは、解錠バーの基本構造を説明するために挙げた一例を示し、解錠作業時には、各係合凹部６０ｅ〜７０ｍの有無によって形状が異なる所要数の解錠バー（解錠具セット）の中から、解錠対象であるシリンダ錠の解錠に合ったものを選択する。本実施例では、係合凹部６０ｅ〜７０ｍの有無により、１６本の解錠バー６ａと、６４本の解錠バー７ａ（解錠バー６ａ，７ａ合わせて８０本）が用意されている。
【０１１９】
（作  用）
解錠具セットを用いたシリンダ錠Ｓ２の解錠方法を述べながら、解錠具Ａ２の作用を説明する。
【０１２０】
［解錠バー６ａ，７ａの選択］
まず、実施例１と同様に、ファイバースコープ等を使用して、「（１）内筒３の軸心寄りにあるのか、（２）内筒３の外周寄りにあるのか」の二段階で各タンブラ突起４ｅ〜５ｉの位置を大まかに判断する。
【０１２１】
そして、その判断したタンブラ突起４ｅ〜５ｉの偏倚に応じて、各解錠バー６ａ，７ａの長さ方向における該タンブラ突起４ｅ〜５ｉに対応する位置の係合部に、偏倚方向の段差を設ける。
【０１２２】
即ち、「（１）タンブラ突起が内筒３の軸心寄り」にある場合、実施例１と逆に、そのタンブラ突起に対応する位置に係合凹部を有する解錠バー６ａ，７ａを選択する。
「（２）タンブラ突起が内筒３の外周寄り」にある場合、実施例１と逆に、そのタンブラ突起に対応する位置に係合凹部を有さない解錠バー６ａ，７ａを選択する。
【０１２３】
図面を参照して、具体的に説明する（図１６参照）。
なお、説明の便宜上、鍵の差し込み方向の左側のディスクタンブラ４ｅ〜５ｉで説明する。
（１）上解錠バー６ａについて
上解錠バー６ａに対応するディスクタンブラは、図１６で内筒３基端側から二列目のディスクタンブラ４ｅと、四列目のディスクタンブラ４ｆである。
【０１２４】
具体的には、実施例１と逆に、以下のようにして係合部に段差を設ける（図１６参照）。
図１６に示すように、本実施例ではディスクタンブラ４ｅでは、タンブラ突起４０ｅが「内筒３の外周寄り」にある。一方、ディスクタンブラ４ｆでは、「タンブラ突起４０ｆが「内筒３の軸心寄り」にある。この場合は、タンブラ突起４０ｅに対応する位置に係合凹部を有さず、且つ、タンブラ突起４０ｆに対応する位置に係合凹部４０ｆを有する上解錠バー６ａが必要である。
【０１２５】
（２）下解錠バー７ａについて
下解錠バー７ａに対応するディスクタンブラは、図１６で内筒３基端側から一列目のディスクタンブラ５ｇと、三列目のディスクタンブラ５ｈと、五列目のディスクタンブラ５ｉである。
【０１２６】
図１６に示すように、本実施例ではディスクタンブラ５ｇ，５ｈのタンブラ突起５０ｇ，５０ｈは、共に「内筒３の軸心寄り」にある。一方、ディスクタンブラ５ｉのタンブラ突起５０ｉは「内筒３の外周寄り」にある。この場合、タンブラ突起５０ｇ，５０ｈに対応する位置に係合凹部７０ｇ，７０ｈを有し、且つタンブラ突起５０ｉに対応する位置に係合凹部７０ｉを有さない下解錠バー７ａが必要である。
【０１２７】
［解錠バー６ａ，７ａによる解錠方法］
以上のようにして選び取った二本一組の解錠バー６ａ，７ａを用いて解錠具Ａ２とし、鍵穴３０へ差し込む（図１６参照）。そうすると、図１６に示すように、解錠バー６，７の長さ方向における各タンブラ突起４０ｆ，５０ｇ，５０ｈと対応する位置に、解錠バー６，７の各係合凹部６０ｆ，７０ｇ，７０ｈがそれぞれ位置する。
【０１２８】
後は実施例１と同様に、内筒３が回動する方向に解錠バー６ａ，７ａに回転力を加えながら、更に解錠バー６ａ，７ａの間隔を狭めたり拡げたり、あるいは内筒３の軸心方向に対して解錠バー６ａ，７ａを傾ける等の動作を繰り返す。すると、実施例１と同様の作用により、ある位置ですべてのディスクタンブラ４ｅ〜５ｉの引っ掛かりがなくなり、内筒３が回動して「解錠状態」となる（図１７（ｂ）参照）。
【０１２９】
その他の作用及び効果は、実施例１と大体において同じであるため、説明を省略する。
【０１３０】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【０１３１】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【０１３２】
【図１】シリンダ錠の縦断面説明図であり、正規な内溝キーを使用してシリンダ錠を解錠している状態を表している。
【図２】外筒の一部を断面して中の内筒が見えるようにしたシリンダ錠の平面視説明図。
【図３】「施錠状態」となっているシリンダ錠を表しており、図３(ａ)は、図１及び図２のI−I部分に対応する断面を示す概略説明図、図３(ｂ)は、図１及び図２のII−II部分に対応する断面を示す概略説明図。
【図４】解錠具を構成する一対の解錠バーの斜視説明図。
【図５】一対の解錠バーの側面視説明図であり、解錠バーの長手面同士が接している状態を示している。
【図６】図５のIII−III部分に対応する断面を示す概略拡大説明図。
【図７】解錠具セットが収容された収容ケースを示す斜視説明図。
【図８】収容ケースの引出し部を示す平面視説明図。
【図９】収容ケースの引出し部を示す平面視説明図。
【図１０】収容ケースの引出し部を示す平面視説明図。
【図１１】シリンダ錠の鍵穴に解錠バーを差し込んでいる状態を示す縦断面説明図であり、図２のIV−IV部分に対応している。
【図１２】鍵穴に差し込んだ解錠バーの間隔を狭めた状態を示すシリンダ錠の縦断面説明図。
【図１３】鍵穴に差し込んだ解錠バーを内筒の軸心方向に対して傾けた状態を示すシリンダ錠の縦断面説明図。
【図１４】図１４(ａ)は、図１２のV−V部分に対応する断面の左半分を示す概略説明図、図１４(ｂ)は、図１２のVI−VI部分に対応する断面の左半分を示す概略説明図、図１４(ｃ)は、図１３のVII−VII部分に対応する断面の左半分を示す概略説明図、図１４(ｄ)は、図１３のVIII−VIII部分に対応する断面の左半分を示す概略説明図。
【図１５】本発明に係る解錠具の他の実施例を示す平面視説明図。
【図１６】シリンダ錠の鍵穴に解錠バーを差し込んだ状態を示す縦断面説明図。
【図１７】鍵穴に差し込んだ解錠バーの間隔を拡げた状態を示す縦断面説明図。
【符号の説明】
【０１３３】
Ａ１，Ａ２ 解錠具
Ｋ 内溝キー
Ｓ１，Ｓ２ シリンダ錠
２ 外筒
３ 内筒
４ａ，４ｂ，４ｃ，４ｄ，５ａ，５ｂ，５ｃ，５ｄ，５ｅ，５ｆ ディスクタンブラ
４ｅ，４ｆ，５ｇ，５ｈ，５ｉ ディスクタンブラ
６，７ 解錠バー
６ａ，７ａ 解錠バー
８ 収容ケース
１１ 鍵板
１２ 凹溝
１２１ 鍵山
１３ 鍵板
２１ ディスク係合溝
２２ ディスク係合溝
２３ ガイド突起
２４ 角部分
３０ 鍵穴
４０ａ〜４０ｆ タンブラ突起
５０ａ〜５０ｉ タンブラ突起
６０ａ〜６０ｈ  係合凹部
７０ａ〜７０ｍ  係合凹部
４１，４２ 係合部
５１，５２ 係合部
６１ 中心片
６２ 切欠案内部
８１，８２，８３，８４，８５  引出し部
【図１】
2005194703.tif 000003
【図２】
2005194703.tif 000004
【図３】
2005194703.tif 000005
【図４】
2005194703.tif 000006
【図５】
2005194703.tif 000007
【図６】
2005194703.tif 000008
【図７】
2005194703.tif 000009
【図８】
2005194703.tif 000010
【図９】
2005194703.tif 000011
【図１０】
2005194703.tif 000012
【図１１】
2005194703.tif 000013
【図１２】
2005194703.tif 000014
【図１３】
2005194703.tif 000015
【図１４】
2005194703.tif 000016
【図１５】
2005194703.tif 000017
【図１６】
2005194703.tif 000018
【図１７】
2005194703.tif 000019